(57)【要約】【課題】液体濾過装置としての使用時における容積よりも容積を減らす（減容する）ことが可能なフィルタケース及びこのフィルタケースを用いた液体濾過装置を提供する。【解決手段】側板５を構成する左側板部材３７及び右側板部材３８又は正面側板部材３５及び背面側板部材３６は、それぞれ一方及び他方の半体３９，４０に分割され、該一方及び他方の半体と、分割されていない正面側板部材及び背面側板部材又は左側板部材及び右側板部材とは、第１の折り畳み用蝶番と第２の折り畳み用蝶番５５・・・６０を介して折り畳まれるように構成されてなる。【選択図】  図１４
2019063742.tif 000002
【特許請求の範囲】
【請求項１】
内部には液体を濾過する液体用フィルタが収容されるフィルタ収容空間を有してなるとともに、方形状に成形され中央には液体が流入する流入用開口が形成された蓋板と、
この蓋板に対向し方形状に成形された底板と、
上端は上記蓋板に、下端は上記底板に、それぞれ連結手段により取外し可能に連結されてなるとともに、濾過された液体が排出される複数の排出穴が形成された側板と、
を備え、
上記側板は、正面側板部材、背面側板部材、左側板部材及び右側板部材と、を有し、
上記正面側板部材と上記左側板部材及び右側板部材、上記背面側板部材と上記左側板部材及び右側板部材とは、それぞれ第１の折り畳み用蝶番を介して回動自在に連結されてなるとともに、
上記左側板部材と上記右側板部材又は上記正面側板部材と上記背面側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、
上記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるか、又は上記左側板部材と右側板部材とが、折り畳まれた上記正面側板部材及び背面側板部材を間に挟んで互いに近接した状態とされるように構成されてなることを特徴とするフィルタケース。
【請求項２】
内部には液体を濾過する液体用フィルタが収容されるフィルタ収容空間を有してなるとともに、方形状に成形され中央には液体が流入する流入用開口が形成された蓋板と、
この蓋板に対向し方形状に成形された底板と、
上端は上記蓋板に、下端は上記底板に、それぞれ連結手段により取外し可能に連結されてなるとともに、濾過された液体が排出される複数の排出穴が形成された側板と、
を備え、
上記側板は、正面側板部材、背面側板部材、左側板部材及び右側板部材と、を有し、
上記正面側板部材及び背面側板部材の左右両側には、それぞれ折曲板部が形成され、上記左側板部材及び右側板部材の左右両側は、それぞれ上記折曲板部に対して第１の折り畳み用蝶番を介して回動自在に連結されてなるとともに、
上記左側板部材と右側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、
上記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるように構成されてなることを特徴とするフィルタケース。
【請求項３】
内部には液体を濾過する液体用フィルタが収容されるフィルタ収容空間を有してなるとともに、方形状に成形され中央には液体が流入する流入用開口が形成された蓋板と、
この蓋板に対向し方形状に成形された底板と、
上端は上記蓋板に、下端は上記底板に、それぞれ連結手段により取外し可能に連結されてなるとともに、濾過された液体が排出される複数の排出穴が形成された側板と、
を備え、
上記側板は、正面側板部材、背面側板部材、左側板部材及び右側板部材と、を有し、
上記左側板部材及び右側板部材との左右両側には、それぞれ折曲板部が形成され、上記正面側板部材及び背面側板部材の左右両側は、それぞれ上記折曲板部に対して第１の折り畳み用蝶番を介して回動自在に連結されてなるとともに、
上記正面側板部材と背面側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、
上記第１の折畳み用蝶番のそれぞれと上記第２の折畳み用蝶番のそれぞれとの配置位置にて上記側板が折り畳まれることにより、上記左側板部材と右側板部材とが、折り畳まれた上記正面側板部材及び背面側板部材を間に挟んで互いに近接した状態とされるように構成されてなることを特徴とするフィルタケース。
【請求項４】
前記底板の周端には該底板の周端から上方に起立してなる起立板部が形成されてなるとともに、該底板の上面には、前記側板を構成する正面側板部材、左側板部材、背面側板部材又は右側板部材の何れかの下端側を上記起立板部と共同して挟持する下方挟持板部が起立されてなることを特徴とする請求項１，２又は３記載の何れかのフィルタケース。
【請求項５】
前記蓋板の周端には該蓋板の周端から垂下してなる垂下板部が形成されてなるとともに、該蓋板の下面には、前記側板を構成する正面側板部材、左側板部材、背面側板部材又は右側板部材の何れかの上端側を上記垂下板部と共同して挟持する上方挟持板部が垂下されてなることを特徴とする請求項１，２，３又は４記載の何れかのフィルタケース。
【請求項６】
前記請求項１，２，３，４又は５記載の何れかのフィルタケースを用いた液体濾過装置であって、
上記フィルタケースに形成されたフィルタ収容空間内には、該フィルタケースを構成する底板と側板とが前記連結手段により連結された後に収容された液体用フィルタを備え、
上記液体用フィルタは、平面形状が方形状に成形され、中央には液体が流入する液体流入空間が形成され、該液体用フィルタの正面及び背面又は左側面及び右側面のそれぞれには、該液体用フィルタの高さ方向と直交する方向に長さを有し該高さ方向に並列してなる複数の外側頂部が形成されてなるとともに、上記液体流入空間側には、該液体用フィルタの高さ方向とは直交する方向に長さを有し該高さ方向に並列してなる複数の内側頂部が形成されてなり、全体として高さ方向に圧縮自在とされてなることを特徴とする液体濾過装置。
【請求項７】
前記液体用フィルタには、互いに隣り合う前記外側頂部と外側頂部との間を所定長さ離間させる複数の外側間隔保持部材が、前記液体用フィルタの圧縮に伴い圧縮自在に取り付けられてなることを特徴とする請求項６記載の液体濾過装置。
【請求項８】
前記外側間隔保持部材は、前記液体用フィルタに形成された外側頂部の長さ方向と同じ方向に幅を有し該液体用フィルタの高さ方向に長さを有してなるとともに、上端側から下端側に亘って上記幅方向に長さを有する外側折曲部と内側折曲部とがそれぞれ交互に形成された樹脂製長尺板であって、
この樹脂製長尺板と液体用フィルタとは、該樹脂製長尺板に複数形成された上記外側折曲部の内の特定の外側折曲部の近傍と液体用フィルタに複数形成された上記外側頂部の内の特定の外側頂部の近傍とが固定手段により互いに固定されてなるとともに、
上記固定手段により樹脂製長尺板と液体用フィルタとが互いに固定された部位と部位との間には、該固定手段により液体用フィルタには固定されていない１又は複数の外側折曲部と上記内側折曲部とが位置してなり、
上記外側折曲部と内側折曲部が交互に形成された樹脂製長尺板の弾性力により、上記液体用フィルタに形成され隣り合う外側頂部同士の間が所定長さ離間されてなることを特徴とする請求項７記載の液体濾過装置。
【請求項９】
前記フィルタケースを構成する蓋板には、前記液体用フィルタに形成された液体流入空間内に挿入され外部からの液体が流入するとともに複数の貫通穴が形成されてなる液体流入用管体が着脱可能に取り付けられてなるとともに、
上記液体流入空間内には、複数の支柱と、これらの支柱に固定され上記液体流入空間に挿入された後に回転されることにより、該液体用フィルタに形成された何れかの内側頂部と内側頂部との間に先端側が挿入される部位を有する板状のスペーサとを備えた内側間隔保持部材が配置され、この内側間隔保持部材の内側には、上記液体流入用管体が上方から挿入される管挿入空間が形成されてなることを特徴とする請求項６，７又は８記載の何れかの液体濾過装置。
【請求項１０】
前記液体用フィルタは、略長方形状に成形された１枚の濾紙が折曲されて前記外側頂部及び内側頂部が形成された単一の液体用フィルタがそれぞれ高さ方向に複数積層されてなり、これら複数の液体用フィルタの内の特定の液体用フィルタと該特定の液体用フィルタの下方に位置する他の液体用フィルタとは、該特定の液体用フィルタの正面、背面、左側面及び右側面の下方側に形成された外側頂部と、上記他の液体用フィルタの正面、背面、左側面及び右側面の上方に形成された端部又は外側頂部とが、挟持部材により連結されてなることを特徴とする請求項６，７，８又は９記載の何れかの液体濾過装置。
【発明の詳細な説明】
【技術分野】
【０００１】
本発明は、例えば、オイル等の液体に含まれたスラッジ等の異物を濾過するために使用されるフィルタを内部に収容するフィルタケース及びこのフィルタケースを用いた液体濾過装置に関するものである。
【背景技術】
【０００２】
上記フィルタケースとしては、これまで多種多様なものが提案されているが、例えば、実開平５−５６２０５号公報（特許文献１）に開示されたフィルタケースは、略円筒状に成形された側板部（円筒壁８ａ）と、この側板部（円筒壁８ａ）の上端に固定された蓋板部（上端板８ｂ）と、上記側板部（円筒壁８ａ）の下端に固定された底板部（下端板８ｃ）を備えている。そして、上記側板部（円筒壁８ａ）の内側には、円筒状のフィルタが配置され、この円筒状のフィルタの内側に流入した液体は、該フィルタにより濾過されて外側に排出される。
【先行技術文献】
【特許文献】
【０００３】
【特許文献１】実開平５−５６２０５号公報
【発明の概要】
【発明が解決しようとする課題】
【０００４】
しかしながら、上記特許文献１等に開示されたフィルタケースを有する液体濾過装置では、所定のコンテナに収容し、船やトラック又は貨車等により輸送又は輸出する際、単位容積当たりに収容する数は限られてしまう。そこで、液体濾過装置として使用される前に輸送等を行う場合には、輸送コストや保管コスト等を圧縮するため、その減容化が求められている。
【０００５】
そこで、本発明は、上述した従来のフィルタケースやこのフィルタケースを用いた液体濾過装置が有する課題を解決するために提案されたものであって、液体濾過装置としての使用時における容積よりも容積を減らす（減容化する）ことが可能なフィルタケース及びこのフィルタケースを用いた液体濾過装置を提供し、ひいては輸送コストや保管コスト等を圧縮することができるフィルタケース及びこのフィルタケースを用いた液体濾過装置を提供することを目的とするものである。
【課題を解決するための手段】
【０００６】
本発明は、上記課題を解決するために提案されたものであって、第１の発明（請求項１記載の発明）は、フィルタケースに係るものであって、内部には液体を濾過する液体用フィルタが収容されるフィルタ収容空間を有してなるとともに、方形状に成形され中央には液体が流入する流入用開口が形成された蓋板と、この蓋板に対向し方形状に成形された底板と、上端は上記蓋板に、下端は上記底板に、それぞれ連結手段により取外し可能に連結されてなるとともに、濾過された液体が排出される複数の排出穴が形成された側板と、を備え、上記側板は、正面側板部材、背面側板部材、左側板部材及び右側板部材と、を有し、上記正面側板部材と上記左側板部材及び右側板部材、上記背面側板部材と上記左側板部材及び右側板部材とは、それぞれ第１の折り畳み用蝶番を介して回動自在に連結されてなるとともに、上記左側板部材と上記右側板部材又は上記正面側板部材と上記背面側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、上記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるか、又は上記左側板部材と右側板部材とが、折り畳まれた上記正面側板部材及び背面側板部材を間に挟んで互いに近接した状態とされるように構成されてなることを特徴とするものである。
【０００７】
また、第２の発明（請求項２記載の発明）は、内部には液体を濾過する液体用フィルタが収容されるフィルタ収容空間を有してなるとともに、方形状に成形され中央には液体が流入する流入用開口が形成された蓋板と、この蓋板に対向し方形状に成形された底板と、上端は上記蓋板に、下端は上記底板に、それぞれ連結手段により取外し可能に連結されてなるとともに、濾過された液体が排出される複数の排出穴が形成された側板と、備え、上記側板は、正面側板部材、背面側板部材、左側板部材及び右側板部材と、を有し、上記正面側板部材及び背面側板部材との左右両側には、それぞれ折曲板部が形成され、上記左側板部材及び右側板部材の左右両側は、それぞれ上記折曲板部に対して第１の折り畳み用蝶番を介して回動自在に連結されてなるとともに、上記左側板部材と右側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、上記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるように構成されてなることを特徴とするものである。
【０００８】
また、第３の発明（請求項３記載の発明）は、フィルタケースに係るものであって、内部には液体を濾過する液体用フィルタが収容されるフィルタ収容空間を有してなるとともに、方形状に成形され中央には液体が流入する流入用開口が形成された蓋板と、この蓋板に対向し方形状に成形された底板と、上端は上記蓋板に、下端は上記底板に、それぞれ連結手段により取外し可能に連結されてなるとともに、濾過された液体が排出される複数の排出穴が形成された側板と、を備え、上記側板は、正面側板部材、背面側板部材、左側板部材及び右側板部材と、を有し、上記左側板部材及び右側板部材との左右両側には、それぞれ折曲板部が形成され、上記正面側板部材及び背面側板部材の左右両側は、それぞれ上記折曲板部に対して第１の折り畳み用蝶番を介して回動自在に連結されてなるとともに、上記正面側板部材と背面側板部材とは、それぞれ互いに同じ面積とされた一方の半体と他方の半体とに左右分割されてなるとともに、これら一方の半体と他方の半体とは、それぞれ第２の折り畳み用蝶番を介して回動自在に連結されてなり、上記第１の折畳み用蝶番のそれぞれと上記第２の折畳み用蝶番のそれぞれとの配置位置にて上記側板が折り畳まれることにより、上記左側板部材と右側板部材とが、折り畳まれた上記正面側板部材及び背面側板部材を間に挟んで互いに近接した状態とされるように構成されてなることを特徴とするものである。
【０００９】
上記第１の発明では、記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるか、又は上記左側板部材と右側板部材とが、折り畳まれた上記正面側板部材及び背面側板部材を間に挟んで互いに近接した状態とされるように構成されてなることから、使用時における容積よりも容積を減らす（減容化する）ことが可能となり、ひいては輸送コストや保管コスト等を圧縮することができる。
【００１０】
また、上記第２の発明と第３の発明とは、側板を構成する正面側板部材、背面側板部材、左側板部材及び右側板部材の内で、それぞれ一方の半体と他方の半体とに分割された部材が異なるのみであり、基本構成が異なるものではない。すなわち、上記第２の発明は、上記左側板部材と右側板部材とが、それぞれ互いに同じ面積とされた一方の半体と他方の半体とに左右分割されてなるとともに、これら一方の半体と他方の半体とは、それぞれ第２の折り畳み用蝶番を介して回動自在に連結されてなるものであり、一方、上記第３の発明は、上記正面側板部材と背面側板部材とが、それぞれ互いに同じ面積とされた一方の半体と他方の半体とに左右分割されてなるとともに、これら一方の半体と他方の半体とは、それぞれ第２の折り畳み用蝶番を介して回動自在に連結されてなるものである。したがって、上記第２の発明では、上記第１の折畳み用蝶番のそれぞれと上記第２の折畳み用蝶番のそれぞれとの配置位置にて上記側板が折り畳まれることにより、上記正面側板部材と背面側板部材とが、折り畳まれた上記左側板部材及び右側板部材を間に挟んで互いに近接した状態とされるように構成されているが、上記第３の発明では、上記第１の折畳み用蝶番のそれぞれと上記第２の折畳み用蝶番のそれぞれとの配置位置にて上記側板が折り畳まれることにより、上記左側板部材と右側板部材とが、折り畳まれた上記正面側板部材及び背面側板部材を間に挟んで互いに近接した状態とされるように構成されている。
【００１１】
したがって、上記第２の発明による場合であっても第３の発明による場合であっても、上記連結手段による連結状態を解除し、上記側板から蓋体と底板とを取り外し、さらに上記側板を上記第１及び第２の折り畳み用蝶番を介して折り畳むことにより、フィルタケースは、液体濾過装置としての使用時における容積よりもその容積を減らす（減容化する）ことが可能となり、ひいては輸送コストや保管コスト等を圧縮することができる。
【００１２】
また、第４の発明（請求項４記載の発明）は、上記第１、第２又は第３の発明の何れかにおいて、前記底板の周端には該底板の周端から上方に起立してなる起立板部が形成されてなるとともに、該底板の上面には、前記側板を構成する正面側板部材、左側板部材、背面側板部材又は右側板部材の何れかの下端側を上記起立板部と共同して挟持する下方挟持板部が起立されてなることを特徴とするものである。
【００１３】
この第４の発明に係るフィルタケースでは、底板の上面に形成された起立板部と下方挟持板部との間に、側板を構成する正面側板部材、左側板部材、背面側板部材又は右側板部材の何れかの下端側が挟持されることから、該側板を構成する上記第１の折り畳み用蝶番及び／又は第２の折り畳み用蝶番が配置された部位にて不用意に折り畳まれてしまうことがなく、安定した状態で保形性を維持することができる。
【００１４】
また、第５の発明（請求項５記載の発明）は、上記第１、第２、第３又は第４の発明の何れかの発明において、前記蓋板の周端には該蓋板の周端から垂下してなる垂下板部が形成されてなるとともに、該蓋板の下面には、前記側板を構成する正面側板部材、左側板部材、背面側板部材又は右側板部材の何れかの上端側を上記垂下板部と共同して挟持する上方挟持板部が垂下されてなることを特徴とするものである。
【００１５】
この第５の発明に係るフィルタケースでは、蓋板の周端から垂下してなる垂下板部と上方挟持板部との間に、側板を構成する正面側板部材、左側板部材、背面側板部材又は右側板部材の何れかの上端側が挟持されることから、該側板を構成する上記第１の折り畳み用蝶番及び／又は第２の折り畳み用蝶番が配置された部位にて不用意に折り畳まれてしまうことがなく、安定した状態で保形性を維持することができる。
【００１６】
また、第６の発明（請求項６記載の発明）は、上記第１、第２、第３、第４又は第５の発明の何れかに係るフィルタケースを用いた液体濾過装置であって、上記フィルタケースに形成されたフィルタ収容空間内には、該フィルタケースを構成する底板と側板とが前記連結手段により連結された後に収容された液体用フィルタを備え、上記液体用フィルタは、平面形状が方形状に成形され、中央には液体が流入する液体流入空間が形成され、該液体用フィルタの正面及び背面又は左側面及び右側面のそれぞれには、該液体用フィルタの高さ方向と直交する方向に長さを有し該高さ方向に並列してなる複数の外側頂部が形成されてなるとともに、上記液体流入空間側には、該液体用フィルタの高さ方向とは直交する方向に長さを有し該高さ方向に並列してなる複数の内側頂部が形成されてなり、全体として高さ方向に圧縮自在とされてなることを特徴とするものである。
【００１７】
この第６の発明に係る液体濾過装置は、上記第１、第２、第３、第４又は第５の発明の何れかに係るフィルタケースを構成する底板と側板とが前記連結手段により連結された後に収容された液体用フィルタを備えている。そして、上記液体用フィルタは、平面形状が方形状に成形され、中央には液体が流入する液体流入空間が形成され、該液体用フィルタの正面、背面、左側面及び右側面のそれぞれには、該液体用フィルタの高さ方向と直交する方向に長さを有し該高さ方向に並列してなる複数の外側頂部が形成されてなるとともに、該液体用フィルタの上記液体流入空間側には、該液体用フィルタの高さ方向とは直交する方向に長さを有し該高さ方向に並列してなる複数の内側頂部が形成されてなり、全体として高さ方向に圧縮自在とされている。したがって、この発明に係る液体濾過装置によれば、先に説明したように、フィルタケースは折り畳んだ状態で減容化して輸送等することができるとともに、液体用フィルタは、高さ方向に圧縮し減容化した状態で輸送等することができる。
【００１８】
また、第７の発明（請求項７記載の発明）は、上記第６の発明において、前記液体用フィルタには、互いに隣り合う前記外側頂部と外側頂部との間を所定長さ離間させる複数の外側間隔保持部材が、前記液体用フィルタの圧縮に伴い圧縮自在に取り付けられてなることを特徴とするものである。
【００１９】
この第７の発明に係る液体濾過装置では、上記複数の外側間隔保持部材が複数液体用フィルタに取り付けられていることから、フィルタケース内に収容された際には、該液体用フィルタに形成された前記外側頂部と外側頂部との間は所定長さ離間させられることから、内部に流入した液体を効果的に濾過することができる。また、上記液体用フィルタに取り付けられたそれぞれの外側間隔保持部材は、該液体用フィルタの圧縮（操作）に伴って圧縮自在とされてなることから、該外側間隔保持部材が液体用フィルタの減容化に悪影響を及ぼさない。
【００２０】
また、第８の発明（請求項８記載の発明）は、上記第７の発明において、前記外側間隔保持部材は、前記液体用フィルタに形成された外側頂部の長さ方向と同じ方向に幅を有し該液体用フィルタの高さ方向に長さを有してなるとともに、上端側から下端側に亘って上記幅方向に長さを有する外側折曲部と内側折曲部とがそれぞれ交互に形成された樹脂製長尺板であって、この樹脂製長尺板と液体用フィルタとは、該樹脂製長尺板に複数形成された上記外側折曲部の内の特定の外側折曲部の近傍と液体用フィルタに複数形成された上記外側頂部の内の特定の外側頂部の近傍とが固定手段により互いに固定されてなるとともに、上記固定手段により樹脂製長尺板と液体用フィルタとが互いに固定された部位と部位との間には、該固定手段により液体用フィルタには固定されていない１又は複数の外側折曲部と上記内側折曲部とが位置してなり、上記外側折曲部と内側折曲部が交互に形成された樹脂製長尺板の弾性力により、上記液体用フィルタに形成され隣り合う外側頂部同士の間が所定長さ離間されてなることを特徴とするものである。
【００２１】
この第８の発明に係る液体濾過装置では、前記外側間隔保持部材は、前記液体用フィルタに形成された外側頂部の長さ方向と同じ方向に幅を有し該液体用フィルタの高さ方向に長さを有してなるとともに、上端側から下端側に亘って上記幅方向に長さを有する外側折曲部と内側折曲部とがそれぞれ交互に形成された樹脂製長尺板である。そして、この樹脂製長尺板と液体用フィルタとは、該樹脂製長尺板に複数形成された上記外側折曲部の内の特定の外側折曲部の近傍と液体用フィルタに複数形成された上記外側頂部の内の特定の外側頂部の近傍とが固定手段により互いに固定されている。なお、この固定手段により互いに固定された（液体用フィルタに形成された）特定の外側頂部と（樹脂製長尺板に形成された）特定の外側折曲部とは、（すなわち、上記固定手段により互いが固定された部位は）該液体用フィルタの上端側から下端側に亘って複数存在している。そしてさらに、この発明では、上記固定手段により樹脂製長尺板と液体用フィルタとが互いに固定された部位と部位との間には、該固定手段により液体用フィルタには固定されていない１又は複数の外側折曲部と上記内側折曲部とが位置している。例えば、上から５番目に位置する液体用フィルタに形成された外側頂部の近傍と樹脂製長尺板に形成された外側折曲部の近傍とが互いに固定手段により固定され、また、上から６番目に位置する液体用フィルタに形成された外側頂部の近傍と樹脂製長尺板に形成された外側折曲部の近傍とが互いに固定手段により固定されている場合には、上記５番目の外側頂部と６番目の外側頂部とは、それぞれ上記特定の外側頂部であり、これら特定の外側頂部に固定された外側折曲部は、それぞれ上記特定の外側折曲部である。そして、この例では、樹脂製長尺板に形成された二つの特定の外側折曲部の間には、上記固定手段により液体用フィルタには固定されていない１又は複数の外側折曲部が位置している。換言すれば、液体用フィルタに形成され互いに上下に隣り合う上記５番目の外側頂部（特定の外側頂部）と６番目の外側頂部（特定の外側頂部）との間には、液体用フィルタには固定されていない１又は複数の外側折曲部が位置している。例えば、上記５番目の外側頂部（特定の外側頂部）と６番目の外側頂部（特定の外側頂部）との間には、液体用フィルタには固定されていない１の外側折曲部が位置している場合には、この１の外側折曲部を挟んで上下に形成された内側折曲部が位置している。そして、さらにこの発明では、上記外側折曲部と内側折曲部が交互に形成された樹脂製長尺板の弾性力により、上記液体用フィルタに形成され隣り合う外側頂部同士の間が所定長さ離間されている。
【００２２】
したがって、上記第８の発明によれば、上記外側間隔保持部材である樹脂製長尺板の弾性力により、液体が効果的又はスムーズに液体用フィルタを通過し濾過された状態で外部に排出させることができ、濾過機能を向上させることができる。
【００２３】
また、第９の発明（請求項９記載の発明）は、上記第６、第７又は第８の発明の何れかの発明において、前記フィルタケースを構成する蓋板には、前記液体用フィルタに形成された液体流入空間内に挿入され外部からの液体が流入するとともに複数の貫通穴が形成されてなる液体流入用管体が着脱可能に取り付けられてなるとともに、上記液体流入空間内には、複数の支柱と、これらの支柱に固定され上記液体流入空間に挿入された後に回転されることにより、該液体用フィルタに形成された何れかの内側頂部と内側頂部との間に先端側が挿入される部位を有する板状のスペーサとを備えた内側間隔保持部材が配置され、この内側間隔保持部材の内側には、上記液体流入用管体が上方から挿入される管挿入空間が形成されてなることを特徴とするものである。
【００２４】
この第９の発明に係る液体濾過装置では、上記蓋板には、前記液体用フィルタに形成された液体流入空間内に挿入され外部からの液体が流入するとともに複数の貫通穴が形成されてなる液体流入用管体が着脱可能に取り付けられている。したがって、この液体流入用管体は、蓋体に対して取り外すことが可能であり、輸送等においては、蓋体と液体流入用管体とは別個とすることができる。また、上記内側間隔保持部材は、上記液体流入空間に挿入された後に回転されることにより、該液体用フィルタに形成された何れかの内側頂部と内側頂部との間に先端側が挿入される部位を有する板状のスペーサを備えていることから、これらのスペーサにより液体用フィルタに形成された内側頂部と内側頂部とが互いに接近している場合であっても、その接近状態が強制的に離間される。したがって、この液体濾過装置では、濾過前の液体を上記各内側頂部と内側頂部との間に流入させることができ、より一層濾過機能を向上させることができる。また、この発明によれば、上記液体用フィルタの外側は、前記外側間隔保持部材又は樹脂製長尺板により外側頂部と外側頂部との間隔が離間させられ、該液体用フィルタの内側は、上記内側間隔保持部材を構成するスペーサにより内側頂部と内側頂部との間が離間させられることから、該液体用フィルタの中心に形成された液体流入空間内に高い圧力で液体が流入した場合であっても、内部で液体が滞留することなく効果的に濾過することができる。
【００２５】
なお、上記スペーサの数は、上記支柱に複数形成されていればよく、液体用フィルタに形成された内側頂部の数と同じ数が形成されている必要はない。例えば、液体用フィルタに全部で１６の内側頂部が形成されている場合において、上記スペーサの数は、３つ又は４つとし、隣り合うスペーサ同士の間には、５つから４つの内側頂部が位置するものであってもよい。また、上記個々のスペーサの平面形状は、前記液体流入空間に挿入された後に回転されることにより、該液体用フィルタに形成された特定の内側頂部とこの特定の内側頂部に隣り合う他の内側頂部との間に先端側が挿入される部位を有する形状であればよく、例えば、上記液体流入空間が平面視において正方形である場合には、これらのスペーサの平面形状の一辺の長さを、該液体流入空間の平面視における一辺の長さよりも僅かに短い寸法とした正方形状としてもよい。このように、スペーサの形状を正方形状とした場合には、５度から６０度の範囲内で（好ましくは４５度）回転されることにより、各スペーサは、液体用フィルタに形成された内側頂部と内側頂部との間に強制的に挿入される。そして、上記液体用フィルタに形成された内側頂部と内側頂部との間に強制的に挿入される部位の（同一平面上における）数は、単数でも複数であってもよい。さらに、個々のスペーサには、上記内側頂部と内側頂部との間に挿入される部位の左右両側には、厚みが薄い薄肉部が形成されているものであってもよい。このように、上記内側頂部と内側頂部との間に挿入される部位の左右両側に薄肉部を形成することにより、該内側頂部と内側頂部との間に挿入し易くなるとともに、薄肉部と薄肉部との間に形成された厚みが厚い部位により、内側頂部と内側頂部との間により広い空間を形成することができる。
【００２６】
また、第１０の発明（請求項１０記載の発明）は、上記第６、第７、第８又は第９の発明の何れかにおいて、前記液体用フィルタは、略長方形状に成形された１枚の濾紙が折曲されて前記外側頂部及び内側頂部が形成された単一の液体用フィルタがそれぞれ高さ方向に複数積層されてなり、これら複数の液体用フィルタの内の特定の液体用フィルタと該特定の液体用フィルタの下方に位置する他の液体用フィルタとは、該特定の液体用フィルタの正面、背面、左側面及び右側面の下方側に形成された外側頂部と、上記他の液体用フィルタの正面、背面、左側面及び右側面の上方に形成された端部又は外側頂部とが挟持部材により連結されてなることを特徴とする。
【００２７】
この第１０の発明に係る液体濾過装置では、上記フィルタケース内に収容される液体用フィルタは、略長方形状に成形された１枚の濾紙が折曲されて前記外側頂部及び内側頂部が形成された単一の液体用フィルタがそれぞれ高さ方向に複数積層されてなるものであり、上下に積層された特定の液体用フィルタと他の液体用フィルタとは、上記挟持部材によりそれぞれ上述した４か所で連結されている。したがって、先に説明したように、フィルタケースは、折り畳むことにより減容化され、上記各液体用フィルタは圧縮することにより減容化されることから、この液体濾過装置によれば、それぞれのパーツを分解し減容化して保管し若しくは輸出又は輸送することができる。また、この第９の発明に係る液体濾過装置では、フィルタケース内に収容する液体用フィルタの数をある程度調整することが可能となる。すなわち、液体濾過装置により濾過処理すべき液体の処理量又は該液体濾過装置内に供給される液体の流入圧力若しくは液体用フィルタによる液体の透過率等から、例えば、７個の液体用フィルタを積層して収容できる空間がフィルタケースに形成されている場合であっても、その数よりも少ない数の液体用フィルタを積層して収容することも可能となる。
【発明の効果】
【００２８】
上記第１の発明（請求項１記載の発明）、第２の発明（請求項２記載の発明）又は第３の発明に係るフィルタケースによれば、蓋板、底板、側板をそれぞれ分解するとともに、該側板を構成する正面側板部材と背面側板部材とが、折り畳まれた上記左側板部材及び右側板部材を間に挟んで互いに近接した状態とし、又は左側板部材と右側板部材とが、折り畳まれた上記正面側板部材及び背面側板部材を間に挟んで互いに近接した状態とすることにより、液体濾過装置としての使用時における容積よりもその容積を減らす（減容化する）ことが可能となり、ひいては輸送コストや保管コスト等を圧縮することができる。
【００２９】
また、第４の発明（請求項４記載の発明）に係るフィルタケースや第５の発明（請求項５記載の発明）に係るフィルタケースによれば、側板を構成する上記第１の折り畳み用蝶番及び／又は第２の折り畳み用蝶番が配置された部位にて不用意に折り畳まれてしまうことがなく、安定した状態で保形性を維持することができる。
【００３０】
また、第６の発明（請求項６記載の発明）に係る液体濾過装置によれば、先に説明したように、フィルタケースは折り畳んだ状態で減容化して輸送等することができるばかりではなく、該フィルタケースに収容される液体用フィルタは、高さ方向に圧縮し減容化した状態で輸送等することができることから、より一層減容化に貢献することができる。
【００３１】
また、第７の発明（請求項７記載の発明）に係る液体濾過装置によれば、上記複数の外側間隔保持部材により、液体用フィルタの濾過効率を高めることができるとともに、該外側間隔保持部材は、液体用フィルタの圧縮（操作）に伴って圧縮自在とされてなることから、該外側間隔保持部材が液体用フィルタの減容化に悪影響を及ぼさない。
【００３２】
また、第８の発明（請求項８記載の発明）に係る液体濾過装置によれば、外側間隔保持部材である樹脂製長尺板の弾性力により、液体が効果的又はスムーズに液体用フィルタを通過し濾過された状態で外部に排出させることができ、濾過効率を更に向上させることができる。
【００３３】
また、第９の発明（請求項９記載の発明）に係る液体濾過装置によれば、液体用フィルタに形成された内側頂部と内側頂部とが互いに接近している場合であっても、その接近状態が上記スペーサにより強制的に離間させられ、より一層濾過機能を向上させることができる。特に、上記第７又は第８の発明を引用した発明によれば、上記液体用フィルタの外側は、前記外側間隔保持部材又は樹脂製長尺板により外側頂部と外側頂部との間隔が離間させられ、該液体用フィルタの内側は、上記スペーサにより内側頂部と内側頂部との間が離間させられることから、該液体用フィルタの中心に液体が高い圧力で流入した場合であっても、内部で液体が滞留することなく効果的に濾過することができる。
【００３４】
また、第１０の発明（請求項１０記載の発明）に係る液体濾過装置によれば、上記フィルタケースや液体用フィルタ等のパーツを分解し減容化した状態で保管し若しくは輸出又は輸送することができるばかりではなく、濾過処理すべき液体の処理量又は該液体濾過装置内に供給される液体の流入圧力若しくは液体用フィルタによる液体の透過率等を考慮し、該フィルタケース内に収容する液体用フィルタの数をある程度調整することが可能となる。
【図面の簡単な説明】
【００３５】
【図１】液体濾過装置を示す分解斜視図である。
【図２】液体濾過装置を示す平面図である。
【図３】蓋板を示すＡ−Ａ断面図である。
【図４】蓋板を示す底面図である。
【図５】底板を示す平面図である。
【図６】液体濾過装置を示す正面図である。
【図７】側板を示す平面図である。
【図８】液体濾過装置を示す左側面図である。
【図９】フィルタの展開図である。
【図１０】液体用フィルタと長尺挟持クリップ及び短尺挟持クリップを示す分解斜視図ある。
【図１１】液体用フィルタに外側間隔保持部材（樹脂製長尺板）が固定されている状態を拡大して示す断面図である。
【図１２】液体用フィルタ内に内側間隔保持部材を挿入した状態を示す平面図である。
【図１３】図１２に示す状態から内側間隔保持部材を４５度回転させた後の状態を示す平面図である。
【図１４】側板を折り畳んだ状態を示す平面図である。
【図１５】折り畳まれた側板と蓋板と底板とを重ね合わせた状態を示す側面図である。
【図１６】側板の他の例を示す斜視図である。
【発明を実施するための形態】
【００３６】
以下、本発明を実施するための最良の形態に係る液体濾過装置を、図面を参照しながら詳細に説明する。
【００３７】
この実施の形態に係る液体濾過装置１は、図１に示すように、フィルタケース（符号は省略する。）と、このフィルタケース内に収容された複数の液体用フィルタ（以下、単に「フィルタ」と言う。）３と、を備えている。そこで、先ず、上記フィルタケースに関して詳細に説明し、その後に上記フィルタ３に関して説明する。
【００３８】
上記フィルタケースは、図１に示すように、蓋板４と、側板５と、底板６とを備えている。上記蓋板４は、図２、図３又は図４に示すように、正方形状に成形された上側平板部４ａと、この上側平板部４ａの周端から垂下してなる第１ないし第４の垂下板部４ｂ・・・４ｅと、を備えている。そして、上記上側平板部４ａの中央には、図３に示すように、円形状の開口（符号は省略する。）が形成され、該上側平板部４ａの裏面には、この開口と連通してなる座付きナット８が溶接されており、また該上側平板部４ａの上面には上記座付きナット８に螺着されたボルト部（符号は省略する。）が下端に形成され該ボルト部が上記座付きナット８に螺着されることにより上側平板部４ａの上面に下面が圧接される台座部７ａが形成された液体流入管７が固定されている。この液体流入管７の上端側は、上記上側平板部４ａの上面よりも上方に突出してなるとともに、濾過される液体をこの液体濾過装置１内に供給する図示しないチューブ等の管体の先端が接続される部位である。
【００３９】
また、上記蓋板４を構成する上側平板部４ａの裏面には、第１ないし第６の上方挟持板部４ｆ・・・４ｋが垂下した状態で該上側平板部４ａに溶接されている。そして、上記第１の上方挟持板部４ｆは、上記第１の垂下板部４ｂの正面側に所定間隔隔てて対向してなる板部（符号は省略する。）と、上記第２の垂下板部４ｃの左端側に所定間隔隔てて対向してなる板部（符号は省略する。）と、から構成され、上記第２の上方挟持板部４ｇは、上記第２の垂下板部４ｃの右端側に所定間隔隔てて対向してなる板部（符号は省略する。）と、上記第３の垂下板部４ｄの正面側に所定間隔隔てて対向してなる板部（符号は省略する。）とから構成され、上記第３の上方挟持板部４ｈは、上記第３の垂下板部４ｄの背面側に所定間隔隔てて対向してなる板部（符号は省略する。）と、上記第４の垂下板部４ｅの右端側に所定間隔隔てて対向してなる板部（符号は省略する。）とから構成され、上記第４の上方挟持板部４ｉは、上記第４の垂下板部４ｅの左端側に所定間隔隔てて対向してなる板部（符号は省略する。）と、上記第１の垂下板部４ｂの背面側に所定間隔隔てて対向してなる板部（符号は省略する。）とから構成されている。また、上記第５の上方挟持板部４ｊは、上記第１の垂下板部４ｂの中心を境に左右に長さを有してなり、該第１の垂下板部４ｂに所定間隔隔てて対向してなるものであり、上記第６の上方挟持板部４ｋは、上記第３の垂下板部４ｄの中心を境に左右に長さを有してなり、該第３の垂下板部４ｄに所定間隔隔てて対向してなるものである。なお、上述した所定間隔とは、後述する側板を構成する正面側板部材、背面側板部材、左側板部材又は右側板部材の上端側が挿入可能な間隔を言う。
【００４０】
そして、本実施の形態に係る液体濾過装置１では、上記蓋板４の裏面には、第１ないし第１０のパッキン１１・・・２０が固定されている。これら第１ないし第１０のパッキン１１・・・２０は、ゴム又は軟質樹脂からなる液体漏出防止用の弾性板体であり、それぞれ図示しない接着剤を介して上記上側平板部４ａの裏面に接着されてなるものである。そして、上記第１ないし第４のパッキン１１・・・１４は、それぞれＬ字状に成形されてなるものであり、該第１のパッキン１１は、上記第１の垂下板部４ｂの正面側及び第２の垂下板部４ｃの左端側と、上記第１の上方挟持板部４ｆとの間に接着され、上記第２のパッキン１２は、上記第２の垂下板部４ｃの右端側及び第３の垂下板部４ｄの正面側と、上記第２の上方挟持板部４ｇとの間に接着され、上記第３のパッキン１３は、上記第３の垂下板部４ｄの背面側及び第４の垂下板部４ｅの右端側と、上記第３の上方挟持板部４ｈとの間に接着され、上記第４のパッキン１４は、上記第４の垂下板部４ｅの左端側及び第１の垂下板部４ｂの背面側と、上記第４の上方挟持板部４ｉとの間に接着されたものである。
【００４１】
また、上記第５ないし第１０のパッキン１５・・・２０は、それぞれ長方形状に成形されてなるものであって、上記第５のパッキン１５は、上記第４の上方挟持板部４ｉと第５の上方挟持板部４ｊとの間に接着され、上記第６のパッキン１６は、上記第５の上方挟持板部４ｊと上記第１の上方挟持板部４ｆとの間に接着され、上記第７のパッキン１７は、上記第３の上方挟持板部４ｈと上記第６の上方挟持板部４ｋとの間に接着され、上記第８のパッキン１８は、上記第６の上方挟持板部４ｋと上記第２の上方挟持板部４ｇとの間に接着されてなるものである。また、上記第９のパッキン１９は、上記第１の上方挟持板部４ｆと上記第２の上方挟持板部４ｇとの間に接着され、上記第１０のパッキン２０は、上記第３の上方挟持板部４ｈと第４の上方挟持板部４ｉとの間に接着されている。
【００４２】
そして、上記蓋板４を構成する上記第２の垂下板部４ｃの外側面の左右両側には、図１、図２又は図４に示すように、第１の上側係止片２３と第２の上側係止片２４とがそれぞれ固定され、上記第４の垂下板部４ｅの外側面には、第３の上側係止片２５と第４の上側係止片２６とがそれぞれ固定されている。なお、上記第１ないし第４の上側係止片２３・・・２６は、後述するキャッチクリップに形成された係止杆に係止される部位である。
【００４３】
また、上記底板６は、図１又は図５に示すように、上記蓋板４を構成する上側平板部４ａと同一の形状に成形された下側平板部６ａと、この下側平板部６ａの周端から起立してなる第１ないし第４の起立板部６ｂ・・・６ｅと、を備えている。そして、上記下側平板部６ａの上面には、第１ないし第６の下方挟持板部６ｆ・・・６ｋが起立した状態で該下側平板部６ａに溶接されている。これら第１ないし第４の下方挟持板部６ｆ・・・６ｉは、それぞれＬ字状に成形されてなる一方、上記第５及び第６の下方挟持板部６ｊ，６ｋは、それぞれ直線状に成形されてなるものあり、それぞれの上端は上記起立板部６ｂ・・・６ｅの上端と同じ位置とされている。そして、上記第１の下方挟持板部６ｆは、上記第１の起立板部６ｂの正面側に所定間隔隔てて対向してなる板部（符号は省略する。）と、上記第２の起立板部６ｃの右端側に所定間隔隔てて対向してなる板部（符号は省略する。）とから構成され、上記第２の下方挟持板部６ｇは、上記第２の起立板部６ｃの右端側に所定間隔隔てて対向してなる板部（符号は省略する。）と、上記第３の起立板部６ｄの正面側に所定間隔隔てて対向してなる板部（符号は省略する。）とから構成され、上記第３の下方挟持板部６ｈは、上記第３の起立板部６ｄの背面側に所定間隔隔てて対向してなる板部（符号は省略する。）と、上記第４の起立板部６ｅの右端側に所定間隔隔てて対向してなる板部（符号は省略する。）とから構成され、上記第４の下方挟持板部６ｉは、上記第４の起立板部６ｅの左端側に所定間隔隔てて対向してなる板部（符号は省略する。）と、上記第１の起立板部６ｂの背面側に所定間隔隔てて対向してなる板部（符号は省略する。）とから構成されている。また、上記第５の下方挟持板部６ｊは、上記第１の起立板部６ｂの中心を境に左右に長さを有してなり、該第１の起立板部６ｂに所定間隔隔てて対向してなるものであり、上記第６の下方挟持板部６ｋは、上記第３の起立板部６ｄの中心を境に左右に長さを有してなり、該第３の起立板部６ｄに所定間隔隔てて対向してなるものである。なお、上述した所定間隔とは、後述する側板を構成する正面側板部材、背面側板部材、左側板部材又は右側板部材の下端側が挿入可能な間隔を言う。
【００４４】
そして、上記底板６を構成する上記第２の起立板部６ｃの外側面の左右両側には、図１又は図５に示すように、第１の下側係止片２９と第２の下側係止片３０とがそれぞれ固定され、上記第４の起立板部６ｅの外側面には、図５に示すように、第３の下側係止片３１と第４の下側係止片３２とがそれぞれ固定されている。
【００４５】
また、上記側板５は、図１又は図７に示すように、正面側板部材３５と、この正面側板部材３５に対向してなる背面側板部材３６と、左側板部材３７と、この左側板部材３７に対向してなる右側板部材３８とから構成されている。そして、図７に示すように、上記左側板部材３７は、一方の左側板半体３９と他方の左側板半体４０とから構成され、上記右側板部材３８は、一方の右側板半体４１と他方の左側板半体４２とから構成されている。
【００４６】
そして、上記正面側板部材３５は、略正方形状に成形された正面主板部３５ａと、この正面主板部３５ａの左端から直角に折曲されてなる一方の左折曲板部３５ｂと、上記正面主板部３５ａの右端から直角に折曲され上記一方の左折曲板部３５ｂに対向してなる一方の右折曲板部３５ｃとを有している。なお、上記正面主板部３５ａには、フィルタ３により濾過された液体がこのフィルタケース内から外部に排出される多数の透孔３５ｆが穿設されている。また、上記正面主板部３５ａの上端には、（後述する最も上方に配置された）フィルタ３の一部が接着される第１の接着板部３５ｄが形成されている。また、上記正面主板部３５ａの上端側の左側には、図１又は図６に示すように、先に説明した第１の上側係止片２３に係合する係合部（符号は省略する。）を有する第１のキャッチクリップ４５が固定され、該正面主板部３５ａの上端側の右側には、先に説明した第２の上側係止片２４に係合する係合部（符号は省略する。）を有する第２のキャッチクリップ４６が固定されている。また、上記正面主板部３５ａの下端側の左側には、先に説明した第１の下側係止片２９に係合する係合部（符号は省略する。）を有する第３のキャッチクリップ４７が固定され、上記正面主板部３５ａの下端側の右側には、先に説明した第２の下側係止片３０に係合する係合部（符号は省略する。）を有する第４のキャッチクリップ４８が固定されている。なお、第１及び第２のキャッチクリップ４５，４６は、それぞれ回動操作される操作片（符号は省略する。）とこの操作片の回動操作により位置が変更されるとともに上記蓋板４に固定された第１又は第２の上側係止片２３，２４に係合する係止杆（符号は省略する。）を備え、また、上記第３及び第４のキャッチクリップ４７，４８は、上記底板６に固定された第１又は第２の下側係止片２９，３０に係止される係止杆（符号は省略する。）を備えたものである。
【００４７】
また、上記背面側板部材３６は、上記正面側板部材３５と同一の構成からなるものであり、図１又は図７に示すように、略正方形状に成形された背面主板部３６ａと、この背面主板部３６ａの左端から直角に折曲されてなる他方の左折曲板部３６ｂと、上記背面主板部３６ａの右端から直角に折曲され上記他方の左折曲板部３６ｂに対向してなる他方の右折曲板部３６ｃ（図７参照）とを有している。なお、上記背面主板部３６ａには、フィルタ３により濾過された液体がこのフィルタケース内から外部に排出される図示しない多数の透孔が穿設されている。また、上記背面主板部３６ａの上端には、（後述する最も上方に配置された）フィルタ３を接着する第２の接着板部３６ｄが形成されている。また、上記背面主板部３６ａの上端側の左側には、図７に示すように、先に説明した第３の上側係止片２５に係合する係合部（符号は省略する。）を有する第５のキャッチクリップ４９が固定され、該背面主板部３６ａの上端側の右側には、先に説明した第４の上側係止片２６に係合する係合部（符号は省略する。）を有する第６のキャッチクリップ５０が固定されている。また、上記背面主板部３６ａの下端側の左側には、先に説明した第３の下側係止片３１に係合する係合部（符号は省略する。）を有する第７のキャッチクリップ５１（図８参照）が固定されている。また、上記背面主板部３６ａの下端側の右側には、先に説明した第４の下側係止片３２に係合する係合部（符号は省略する。）を有する図示しない第８のキャッチクリップが固定されている。なお、第５ないし第８のキャッチクリップ４９・・・５１は、それぞれ回動操作される操作片（符号は省略する。）とこの操作片の回動操作により位置が変更されるとともに上記蓋板４に固定された第１ないし第４の上側係止片２３・・・２６の何れかに係止される係止杆（符号は省略する。）を備えたものである。
【００４８】
また、上記側板５を構成する上記左側板部材３７は、図８に示すように、一方の左側板半体３９と他方の左側板半体４０とから構成されている。これら一方及び他方の左側板半体３９，４０は、互いに同一の形状に成形され、それぞれ高さ方向に長さを有する長方形状の板体である。また、これら一方及び他方の左側板半体３９，４０には、フィルタ３により濾過された液体がこのフィルタケース内から外部に排出される多数の透孔３９ａ，４０ａが穿設され、それぞれの上端には、（後述する最も上方に配置された）フィルタ３の一部が接着される第３及び第４の接着板部３９ｂ，４０ｂ（図７参照）がそれぞれ形成されている。なお、上記一方の左側板半体３９には、以下に説明する第１の蝶番５５を介して外側に折り曲げられる力が作用した際に、上記他方の左側板半体４０に当接する回動規制片３９ｅ（図７又は図１４参照）が固定されている。そして、上記一方の左側板半体３９と他方の左側板半体４０とは、第１の蝶番５５と第２の蝶番５６とにより互いに折り畳み自在に連結されている。上記第１の蝶番５５と第２の蝶番５６とは、それぞれ本発明を構成する第２の折り畳み用蝶番である。なお、上記第１の蝶番５５と第２の蝶番５６とは、上記一方の左側板半体３９と他方の左側板半体４０の外側面にそれぞれ取り付けられている。また、上記一方の左側板半体３９と上記背面側板部材３６を構成する他方の左折曲板部３６ｂとは、第３の蝶番５７と第４の蝶番５８とにより回動自在に連結されている。また、上記他方の左側板半体４０と上記正面側板部材３５を構成する一方の左折曲板部３５ｂとは、第５の蝶番５９と第６の蝶番６０とにより回動自在に連結されている。なお、上記第３ないし第６の蝶番５７・・・６０は、それぞれ本発明を構成する第１の折り畳み用蝶番である。なお、これら第３ないし第６の蝶番５７・・・６０は、上記一方及び他方の左側板半体３９，４０並びに上記他方の左折曲板部３６ｂ及び一方の左折曲板部３５ｂの内側面にそれぞれ取り付けられている。
【００４９】
また、上記右側板部材３８は、上記左側板部材３７と同一の構成からなるものであり、図７に示すように、一方の右側板半体４１と他方の右側板半体４２とから構成されている。これら一方及び他方の右側板半体４１，４２は、互いに同一の形状に成形され、それぞれ高さ方向に長さを有する長方形状の板体である。また、これら一方及び他方の右側板半体４１，４２には、フィルタ３により濾過された液体がこのフィルタケース内から外部に排出される多数の図示しない透孔が穿設され、それぞれの上端には、（後述する最も上方に配置された）フィルタ３の一部が接着される第５及び第６の接着板部４１ｂ，４２ｂ（図７参照）がそれぞれ形成されている。なお、上記一方の右側板半体４１には、以下に説明する第７の蝶番６５を介して外側に折り曲げられる力が作用した際に、上記他方の右側板半体４２に当接する回動規制片４１ｅ（図７又は図１４参照）が固定されている。そして、上記一方の右側板半体４１と他方の右側板半体４２とは、第７の蝶番６５と第８の蝶番６６（図６参照）とにより互いに折り畳み自在に連結されている。上記第７の蝶番６５と第８の蝶番６６とは、それぞれ本発明を構成する第２の折り畳み用蝶番である。なお、上記第７の蝶番６５と第８の蝶番６６とは、上記一方の右側板半体４１と他方の右側板半体４２の外側面にそれぞれ取り付けられている。また、上記一方の右側板半体４１と上記背面側板部材３６を構成する他方の右折曲板部３６ｃとは、第９の蝶番６７と図示しない第１０の蝶番とにより回動自在に連結されている。また、上記他方の右側板半体４２と上記正面側板部材３５を構成する一方の右折曲板部３５ｃとは、第１１の蝶番６９と図示しない第１２の蝶番とにより回動自在に連結されている。なお、上記第９ないし第１２の蝶番６７・・・６９は、それぞれ本発明を構成する第１の折り畳み用蝶番である。なお、これら第９ないし第１２の蝶番６７・・・６９は、上記一方及び他方の右側板半体４１，４２並びに上記他方の右折曲板部３６ｃ及び一方の右折曲板部３５ｃの内側面にそれぞれ取り付けられている。
【００５０】
次に、上述した構成に係るフィルタケース内のフィルタ収容空間内に収容されるフィルタ３について説明する。本実施の形態では、上記フィルタ３は、上記フィルタ収容空間内において高さ方向に複数個が積層されている。なお、これらのフィルタ３は、後述するように、上記フィルタケースを構成する上記底板６に側板５が取り付けられた後に収容されるものである。そして、上記個々のフィルタ３は、アクリル繊維等の合成繊維等からなる濾紙（不織布）であって、通水性・透水性を有するとともに液体に含まれた異物を捕捉するものであり、図１又は図１０に示されるように、外形形状が略立方体状に成形されてなるものである。換言すれば、これらのフィルタ３は、図９に示す略長方形状に成形された１枚の濾紙７５が、蛇腹状に折曲されてなるものである。そして、これらのフィルタ３の中央には、正方形状に成形された液体流入空間３ａが形成されている。また、これらのフィルタ３の正面、背面、左側面及び右側面のそれぞれには、該フィルタ３の高さ方向と直交する方向に長さを有し高さ方向に並列してなる複数の外側頂部３ｂが形成されてなるとともに、上記液体流入空間３ａ側には、該フィルタ３の高さ方向とは直交する方向に長さを有し高さ方向に並列してなる複数の内側頂部３ｃが形成され、全体として高さ方向に圧縮自在とされている。なお、上記複数のフィルタ３の内で、最も上方に配置されたフィルタ３には、図１に示すように、上記正面主板部３５ａの上端に形成された第１の接着板部３５ｄに接着される第１の接着片３ｄと、上記背面主板部３６ａの上端に形成された第２の接着板部３６ｄに接着される（２つの）第２の接着片３ｅと、上記一方の左側板半体３９の上端に形成された第３の接着板部３９ｂに接着される（２つの）第３の接着片３ｆと、上記他方の左側板半体４０の上端に形成された第４の接着板部４０ｂに接着される第４の接着片３ｇと、上記一方の右側板半体４１の上端に形成された第５の接着部４１ｂに接着される第５の接着片３ｈと、上記他方の右側板半体４２の上端に形成された第６の接着板部４２ｂに接着される第６の接着片３ｉがそれぞれ形成されている。なお、上記最も上方に配置されるフィルタ３以外の各フィルタ３には、上記第１ないし第６の接着片３ｄ・・・３ｉは形成されていない。なお、上記フィルタ３を展開した濾紙７５においてが、上記第１ないし第６の接着片３ｄ・・・３ｉは、図９に示す位置に形成されている。なお、このフィルタ３は、平面形状が正方形状に成形（折曲）されてなる一方、上記蓋板４の上側平板部４ａや底板６の下側平板部６ａの形状は何れも正方形状であり、また上記側板５の内側に形成されたフィルタ収容空間も立方体状であることから、該フィルタ３の収容方向は特に限定されるものではないが、図１に示したフィルタ３の位置関係に基づいて説明すれば、図９中、符号「７５ａ」を付した部位はフィルタ３の正面に位置する部位であり、符号「７５ｂ」を付した部位は左側面に位置する部位であり、符号「７５ｃ」を付した部位は、右側面に位置する部位である。また、上記濾紙７５の左右両側に形成されそれぞれ符号「７５ｄ」，「７５ｄ」を付した部位は、それぞれ背面に位置する部位である。また、図９に示す濾紙７５の左端と右端とにそれぞれ形成され符号７５ｅ，７５ｅは、それぞれ重なり合わせられる部位である。また、上記符号「７５ａ」を付した部位全体において、符号「７５ｊ」を付した一点鎖線は、谷折される折曲線であり、符号「７５ｋ」を付した一点鎖線は、山折される折曲線である。同様に、上記符号「７５ｄ」をそれぞれ付した部位全体において、符号「７５ｊ」を付した一点鎖線は、谷折される折曲線であり、符号「７５ｋ」を付した一点鎖線は、山折される折曲線である。すなわち、この濾紙７５は、上記谷折と山折とが交互に繰り返されるように折曲されてなり該谷折された部位が上記内側頂部３ｃであり、山折された部位が上記外側頂部３ｂとして、該フィルタ３の外側に露出している。
【００５１】
そして、上記各フィルタ３には、本発明を構成する外側間隔保持部材として、図１又は図１０に示すように、第１の樹脂製長尺板７７と、第２の樹脂製長尺板７８と、第３の樹脂製長尺板７９（図１１参照）及び図示しない第４の樹脂製長尺板がそれぞれ固定されている。また、これら第１ないし第４の樹脂製長尺板７７，７８，７９は、ポリプロピレン（ＰＰ）等の合成樹脂を素材としてなるものであって、上記幅方向と同じ方向に長さを有する（山折とされた）外側折曲部７７ａ，７８ａと（谷折とされた）内側折曲部７７ｂ，７８ｂとが交互に形成されている。したがって、これら第１ないし第４の樹脂製長尺板７７，７８，７９の単体はそれぞれ弾性を有し、それぞれの外側折曲部７７ａ，７８ａ同士が、またそれぞれの上記内側折曲部７７ｂ，７８ｂが互いに接近するように圧縮させることができるとともに、伸長させることもできる。なお、上記第１の樹脂製長尺板７７は、上記フィルタ３の正面の左側に固定され、上記第２の樹脂製長尺板７８は、該フィルタ３の正面の右側に固定されている。また、上記第３の樹脂製長尺板は、上記フィルタ３の背面の左側に、また、上記第４の樹脂製長尺板は上記フィルタ３の背面の右側に固定されている。
【００５２】
そして、上述した構成に係る上記各樹脂製長尺板と上記フィルタ３とは、第１の樹脂製長尺板７７と該フィルタ３との固定状態と、第３の樹脂製長尺板７９と該フィルタ３との固定状態を示す図１１の通り、上記第１及び第３の樹脂製長尺板７７，７９は、フィルタ３に形成された各外側頂部３ｂの近傍に該第１及び第３の樹脂製長尺板７７，７９に形成外側された折曲部７７ａ，７９ａが固定手段としてのステープル８１により固定されている。但し、この実施の形態では、上記外側折曲部７７ａ，７９ａの全てにフィルタ３に形成された外側頂部３ｂが固定されているものではなく、該外側折曲部７７ａ，７９ａと外側頂部３ｂとの固定部位は、該第１及び第３の樹脂製長尺板７７，７９の長さ方向に亘って一つ置きの外側折曲部７７ａ，７９ａに固定されている。換言すれば、第１及び第３の樹脂製長尺板７７，７９の長さ方向に亘って形成されたフィルタ３の外側頂部３ｂと外側折曲部７７ａ，７９ａとの固定部位と固定部位との間には、該外側頂部３ｂに固定されていない１つの外側折曲部７７ａ，７９ａと、この１つの外側折曲部７７ａ，７９ａの上下両側に形成された２つの内側折曲部７７ｂ，７７ｂが位置している。したがって、上記フィルタケース内に積層された状態で収容された上記それぞれのフィルタ３は、上記第１ないし第４の樹脂製長尺板７７，７８，７９の弾性作用により、該フィルタ３に形成された外側頂部３ｂと外側頂部３ｂとが互いに離間する方向に付勢される。
【００５３】
また、上下に積層された上記フィルタ３は、図１１に示すように、上方に位置するフィルタ３の下端側が下方に位置するフィルタ３の上端側の外側を包み込むように重ね合わせた状態で接続されてなるとともに、該フィルタ３の正面側、背面側、左側面側及び右側面側の計４か所において、それぞれ長尺挟持クリップ８３（図１０参照）により連結されている。上記４つの長尺挟持クリップ８３は、それぞれ上記外側頂部３ｂの長さと略同じ長さに成形されている。但し、このフィルタ３の正面側と背面側に配置される長尺クリップは、該フィルタ３の左側面側及び右側面側に配置された長尺挟持クリップ８３の長さよりも短いものとされ、このようにやや短くされた長尺挟持クリップ８３が固定された位置の両側には、図１０に示す短尺挟持クリップ８４が配置されており、上記上方のフィルタ３と下方のフィルタ３とは、これらのフィルタ３の左側面側及び右側面側では、上記やや短い長尺挟持クリップ８３と上記左右の短尺挟持クリップ８４とにより互いに連結されている。なお、上記長尺挟持クリップ８３と上記短尺挟持クリップ８４とは、それぞれ本発明を構成する挟持部材である。
【００５４】
また、上述したフィルタ３内には、内側間隔保持部材８８が収容されている。この内側間隔保持部材８８は、図１に示すように、フィルタケースの高さ方向と同じ方向に長さを有する複数（４つ）の支柱８８ａと、これら４つの支柱８８ａが内周に固定されてなる複数（７つ）のスペーサ８８ｂとから構成されている。上記各支柱８８ａは、Ｌ字状に成形された金属板であるとともに、フィルタケースを構成する蓋板４を構成する上側平板部４ａの下面から底板６を構成する下側平板部６ａの上面までの長さよりもやや短い長さとされている。また、上記各スペーサ８８ｂは、正方形状に成形された金属板であって、中央には開口が形成されている。なお、上記各スペーサ８８ｂの各辺の長さは、上記フィルタ３の中央に形成された平面視が正方形状の液体流入空間３ａの各辺の長さよりも若干短いものとされている。そして、この内側間隔保持部材８８は、上記フィルタ３がフィルタケース内に収容された後に、図１２に示すように、該フィルタ３の上方から挿入された後に、図１３に示すように４５度回転操作されることにより、上記各スペーサ８８ｂの角部側は、上記フィルタ３に形成され高さ方向に並ぶ内側頂部３ｃと内側頂部３ｃとの間に強制的に挿入される。
【００５５】
以下では、上記液体濾過装置１を構成する上記フィルタケース、複数のフィルタ３及び内側間隔保持部材８８（以下、これらを部品という事がある。）を輸送又は保管等する形態と、これらの部品から液体濾過装置１として組み付ける方法について説明する。
【００５６】
先ず、上記各部品を輸送又は保管する形態について説明すると、上記フィルタケースは、図１に示すように、蓋板４、側板５及び底板６をそれぞれ別個の状態とし、該側板５は、上記一方の左側板半体３９と他方の左側板半体４０との間と、上記一方の右側板半体４１と他方の右側板半体４２との間をそれぞれ内側に押圧操作し、該一方及び他方の左側板半体３９，４０と一方及び他方の右側板半体４１，４２を、上記第１の蝶番５５、第２の蝶番５６、第７の蝶番６５及び第８の蝶番６６を介して内側に折り畳まれると同時に、上記第３ないし第６の蝶番５７・・・６０及び第９ないし第１２の蝶番６７・・・６９を介して折り畳む。この結果、この側板５は、図７に示す状態から図１４に示す状態に折り畳まれる。したがって、上記構成に係る側板５によれば大きく減容化することができる。また、上記（液体流入管７を取り外した）蓋板４、底板６及び折り畳まれた上記側板５を、例えば、図１５に示すように積み重ねることも可能となる。また、上記フィルタ３は圧縮することにより減容化され、上記液体流入管７や内側間隔保持部材８８は、図示しない包装箱その他の容器に収納する等して、上記蓋板４、底板６及び折り畳まれた側板５やフィルタ３とともに保管し又は輸送すれば良い。
【００５７】
また、上述した蓋板４、底板６及び折り畳まれた上記側板５、フィルタ３、液体流入管７、内側間隔保持部材８８を用いて液体濾過装置１として組み立てる場合には、例えば、以下の順序により行えば良い。先ず、上記底板６に上記側板５を組み付けるとともに、上記第５ないし第８のキャッチクリップ４９・・・５１を用いて該底板６と側板５とを連結する。こうした作業が終了すると、次いで、上記複数のフィルタ３を互いに接続するとともに、上記長尺挟持クリップ８３及び左右の短尺挟持クリップ８４を用いて上下のフィルタ３を連結する。そして、これら互いに連結されたフィルタ３を上記側板５内に収容する。但し、こうしたフィルタ３同士は予め連結させ、該連結されたフィルタ３を輸送等しても良い。そして、最も上方に位置するフィルタ３に形成された第１の接着片３ｄを第１の接着板部３５ｄに、また、第２の接着片３ｅを上記第２の接着板部３６ｄに、上記第３の接着片３ｆを第３の接着板部３９ｂに、また、上記第４の接着片３ｇを第４の接着板部４０ｂに、上記第５の接着片３ｈを第５の接着板部４１ｂに、また、第６の接着片３ｉを第６の接着板部４２ｂに接着する。上記作業が終了すると、次いで、上記フィルタ３の中央に、上記内側間隔保持部材８８を上方から挿入するとともに、先に説明した要領で該内側間隔保持部材８８を４５度回転させる。次に、上記蓋板４の上面に上記液体流入管７を取り付け、最後に上記蓋板４を側板５に被せ、上記第１ないし第４のキャッチクリップ４５・・・４８を用いて互いを連結させる。なお、このように上記第１ないし第４のキャッチクリップ４５・・・４８を用いて蓋板４と側板５とを連結すると、蓋板４の上側平板部４ａの裏面に接着された第１ないし第１０のパッキン１１・・・２０の下面は、上記側板５の上端が圧接される。したがって、この液体濾過装置１によれば、上記第１ないし第１０のパッキン１１・・・２０により、内部に流入した液体の圧力により内圧が上昇した場合であっても上記フィルタ３によりスラッジ等の異物が濾過されない状態で外部に漏出することが防止される。
【００５８】
したがって、上述した実施の形態に係る液体濾過装置１を構成するフィルタケースによれば、液体濾過装置１としての使用時における容積よりも容積を減らす（減容化する）ことが可能となり、ひいては輸送コストや保管コスト等を圧縮することができる。
【００５９】
なお、上記実施の形態に係る液体濾過装置１では、上記側板５を構成する正面側板部材３５、背面側板部材３６、左側板部材３７、右側板部材３８の内で、上記左側板部材３７と右側板部材３８を、それぞれ一方及び他方の左側板半体３９，４０や一方及び他方の右側板半体４１，４２にそれぞれ分割し、これらが折り畳まれる構造としたが、本発明は、上記正面側板部材３５と背面側板部材３６とをそれぞれ図示しない一方及び他方の正面側板半体、一方及び他方の背面側板半体として分割し、これらが折り畳まれる構造としたものであってもよい。また、上記液体濾過装置１は、上下に複数積層したフィルタ３を構成要素とするものであるが、本発明を構成するフィルタは単一のものであっても良い。
【００６０】
また、上記実施の形態に係るフィルタケースでは、上記側板５を構成する正面側板部材３５には、一方の左折曲板部３５ｂと一方の右折曲板部３５ｃとを有し、また、上記背面側板部材３６には、他方の左折曲板部３６ｂと他方の右折曲板部３６ｃとを有してなるものを図示して説明したが、本発明に係るフィルタケースは、上記折曲板部３５ｂ，３５ｃ，３６ｂ，３６ｃを構成要素することなく、図１６に示す側板９１のように、正面側板部材９２、背面側板部材９３、左側板部材９４及び右側板部材９５をそれぞれ平板状に成形するとともに、これら正面側板部材９２、背面側板部材９３、左側板部材９４及び右側板部材９５をそれぞれ先に説明した蝶番９６（本発明を構成する第１の折り畳み用蝶番）により折り畳み可能に連結し、さらに、上記正面側板部材９２と背面側板部材９３とをそれぞれ一方及び他方の半体９２ａ，９２ｂ，９３ａ，９３ｂに分割し、且つこれら一方及び他方の半体９２ａ，９２ｂ，９３ａ，９３ｂを、それぞれ蝶番９７（本発明を構成する第２の折り畳み用蝶番）により折り畳み可能に連結されてなるものであっても良い。
【符号の説明】
【００６１】
１  液体濾過装置
３  フィルタ
３ａ  液体流入空間
３ｂ  外側頂部
３ｃ  内側頂部
４  蓋板
４ｂ・・・４ｅ  第１ないし第４の垂下板部
４ｆ・・・４ｋ  第１ないし第６の上方挟持板部
５  側板
６  底板
６ｂ・・・６ｅ  第１ないし第４の起立板部
６ｆ・・・６ｋ  第１ないし第６の下方挟持板部
３５  正面側板部材
３５ｂ  一方の左折曲板部
３５ｃ  一方の右折曲板部
３６  背面側板部材
３６ｂ  他方の左折曲板部
３６ｃ  他方の右折曲板部
３７  左側板部材
３８  右側板部材
３９  一方の左側板半体
４０  他方の左側板半体
４１  一方の右側板半体
４２  他方の右側板半体
４５・・・５１  第１ないし第７のキャッチクリップ
５５  第１の蝶番
５６  第２の蝶番
５７  第３の蝶番
５８  第４の蝶番
５９  第５の蝶番
６０  第６の蝶番
６５  第７の蝶番
６６  第８の蝶番
６７  第９の蝶番
６９  第１１の蝶番
７７  第１の樹脂製長尺板（外側間隔保持部材）
７７ａ  外側折曲部
７７ｂ  内側折曲部
７８  第２の樹脂製長尺板（外側間隔保持部材）
７８ａ  外側折曲部
７８ｂ  内側折曲部
７９  第３の樹脂製長尺板（外側間隔保持部材）
８８  内側間隔保持部材
８８ａ  支柱
８８ｂ  スペーサ
９１  側板
９２  正面側板部材
９２ａ  一方の半体
９２ｂ  他方の半体
９３  背面側板部材
９３ａ  一方の半体
９３ｂ  他方の半体
９４  左側板部材
９５  右側板部材
９６  蝶番
９７  蝶番
【図１】
2019063742.tif 000003
【図２】
2019063742.tif 000004
【図３】
2019063742.tif 000005
【図４】
2019063742.tif 000006
【図５】
2019063742.tif 000007
【図６】
2019063742.tif 000008
【図７】
2019063742.tif 000009
【図８】
2019063742.tif 000010
【図９】
2019063742.tif 000011
【図１０】
2019063742.tif 000012
【図１１】
2019063742.tif 000013
【図１２】
2019063742.tif 000014
【図１３】
2019063742.tif 000015
【図１４】
2019063742.tif 000016
【図１５】
2019063742.tif 000017
【図１６】
2019063742.tif 000018